(57)【要約】    【課題】      ユーザの個人情報の転用、流出をなくし、プライバシーを確実に保護しつつ、ユーザの要望に応じたコンテンツを容易に検索し再生することができるコンテンツ再生方法、コンテンツ再生端末及びコンテンツ提供システムを提供する。    【解決手段】  コンテンツ提供システムのデータ送信サーバ１０からコンテンツを含むデータが配信される（Ｓ２）。このデータはコンテンツ再生端末４１〜４３において受信される。コンテンツ再生端末４１〜４３においては、コンテンツを検索した履歴情報を格納し、履歴情報からユーザの検索特性に応じた検索情報を抽出し（Ｓ７）、検索情報に対応する新たなコンテンツを優先的に選別し、新たなコンテンツを再生する（Ｓ９）。  【選択図】      図１
2005209098.tif 000002
【特許請求の範囲】
【請求項１】
コンテンツを検索した履歴情報を格納する段階と、
前記履歴情報からユーザの検索特性に応じた検索情報を抽出する段階と、
前記検索情報に対応する新たなコンテンツを優先的に選別する段階と、
前記新たなコンテンツを再生する段階と、
を備えたことを特徴とするコンテンツ再生方法。
【請求項２】
前記履歴情報は前記ユーザが購入した商品の購入履歴情報を含み、
前記検索情報は前記購入履歴情報から抽出された最大購入数の商品情報を含み、
前記新たなコンテンツを優先的に選別する段階は、前記最大購入数の商品情報を含む新たなコンテンツを優先的に選別する段階であることを特徴とする請求項１記載のコンテンツ再生方法。
【請求項３】
前記履歴情報は前記ユーザが購入した商品の購入履歴情報を含み、
前記検索情報は、前記購入履歴情報から抽出された最後に購入した商品の購入時刻情報に基づき更に抽出された最後に購入した商品情報を含み、
前記新たなコンテンツを優先的に選別する段階は、前記最後に購入した商品情報を含む新たなコンテンツを優先的に選別する段階であることを特徴とする請求項１記載のコンテンツ再生方法。
【請求項４】
コンテンツを受信する通信手段と、
前記コンテンツを検索した履歴情報を格納する格納手段と、
前記履歴情報からユーザの検索特性に応じた検索情報を抽出する検索情報抽出手段と、
前記検索情報に対応する新たなコンテンツを優先的に選別するコンテンツ選別手段と、
前記新たなコンテンツを再生する再生手段と、
を備えたことを特徴とするコンテンツ再生端末。
【請求項５】
コンテンツ、前記コンテンツの再生制御を行うコンテンツ再生情報及びユーザの検索特性に応じた検索情報を抽出する制御を行う制御条件情報を含むデータを送信するデータ送信サーバと、
コンテンツ再生端末と、を備え、
前記コンテンツ再生端末は、
前記データを受信する通信手段と、
前記コンテンツを検索した履歴情報を格納する格納手段と、
前記制御条件情報に基づき、前記履歴情報からユーザの検索特性に応じた検索情報を抽出する検索情報抽出手段と、
前記検索情報に対応する新たなコンテンツを優先的に選別するコンテンツ選別手段と、
前記コンテンツ再生情報に基づき、前記新たなコンテンツを再生する再生手段と、
を備えたことを特徴とするコンテンツ提供システム。
【発明の詳細な説明】
【技術分野】
【０００１】
本発明は、コンテンツ再生方法、コンテンツ再生端末及びコンテンツ提供システムに関し、特にデータ送信サーバから配信されるコンテンツを再生するコンテンツ再生方法、このコンテンツ再生方法を実現するコンテンツ再生端末及びデータ送信サーバとコンテンツ再生端末とを含むコンテンツ提供システムに関する。
【背景技術】
【０００２】
消費者（ユーザ）の広告の閲覧時間、閲覧場所、嗜好を考慮した広告情報をピンポイントで配信し、消費者の購買要求を広告主に取り次ぐ、広告提供システム及び広告提供方法が提案されている（例えば、特許文献１参照）。この広告提供システムは通信事業者端末、消費者端末及び企業端末により構築されている。
【０００３】
通信事業者端末は、広告情報、消費者の位置情報及び嗜好情報を格納し、位置情報、嗜好情報及び閲覧時間に基づき広告情報を選択する。この選択された広告情報は通信事業者端末から該当する消費者端末に送信される。
【０００４】
消費者端末は消費者（消費者端末）の位置情報を通信事業者端末に送信する。消費者端末は、通信事業者端末から送信される広告情報を受信し、この広告情報を表示する。消費者は、広告情報から自己の嗜好にあった商品等を選択し、この商品等の予約依頼情報を消費者端末から通信事業者端末に送信する。
【０００５】
企業端末は広告情報を通信事業者端末に送信する。この広告情報には、対象とする消費者の属性、広告情報を配信する有効な場所及び有効な時間に関する情報が含まれる。更に、企業端末は消費者端末から送信された予約依頼情報を通信事業者端末を経由して受信する。企業においては、このような予約依頼情報に基づき、消費者の嗜好にあった商品等を消費者の要求に応じて販売することができる。  
【特許文献１】特開２００１−２８２８３４号公報
【発明の開示】
【発明が解決しようとする課題】
【０００６】
しかしながら、上記広告提供システム及び広告提供方法においては、消費者の閲覧時間、閲覧場所、嗜好を考慮して広告情報が配信されてはいるものの、この広告情報は配信元である企業が予め取り決めた要望に基づくものであり、消費者の本来の要望は配慮されていない。更に、上記広告提供システム及び広告提供方法を利用する場合には、消費者の嗜好情報を含む個人情報を通信事業者端末に登録しておく必要があり、個人情報の転用や流出の可能性があり、プライバシーの保護が充分であるとは言えない。
【０００７】
本発明は、かかる点に鑑みてなされたものであり、ユーザの個人情報の転用、流出をなくし、ユーザのプライバシーを確実に保護するとともに、ユーザの要望に応じたコンテンツを容易に検索し再生することができるコンテンツ再生方法、コンテンツ再生端末及びコンテンツ提供システムを提供することを目的とする。
【課題を解決するための手段】
【０００８】
本発明のコンテンツ再生方法は、コンテンツを検索した履歴情報を格納する段階と、前記履歴情報からユーザの検索特性に応じた検索情報を抽出する段階と、前記検索情報に対応する新たなコンテンツを優先的に選別する段階と、前記新たなコンテンツを再生する段階とを備えた構成を採る。
【０００９】
この方法によれば、コンテンツを検索した履歴情報からユーザの検索特性に応じた検索情報を抽出し、この検索情報に対応する新たなコンテンツを優先的に選別し再生するようにしたので、コンテンツ発信元にユーザの個人情報を登録しなくても、ユーザの検索特性に応じた新たなコンテンツを選別して受信し再生することができる。
【００１０】
本発明のコンテンツ再生方法は、前記履歴情報は前記ユーザが購入した商品の購入履歴情報を含み、前記検索情報は前記購入履歴情報から抽出された最大購入数の商品情報を含み、前記新たなコンテンツを優先的に選別する段階は、前記最大購入数の商品情報を含む新たなコンテンツを優先的に選別する段階である構成を採る。
【００１１】
この方法によれば、ユーザが購入した商品の購入履歴情報から最大購入数の商品情報を抽出し、この商品情報に対応する新たなコンテンツを優先的に選別し再生することができる。
【００１２】
本発明のコンテンツ再生方法は、前記履歴情報は前記ユーザが購入した商品の購入履歴情報を含み、前記検索情報は前記購入履歴情報から抽出された最後に購入した商品の購入時刻情報に基づき更に抽出された最後に購入した商品情報を含み、前記新たなコンテンツを優先的に選別する段階は、前記最後に購入した商品情報を含む新たなコンテンツを優先的に選別する段階である構成を採る。
【００１３】
この方法によれば、ユーザが購入した商品の購入履歴情報から最後に購入した商品の購入時刻情報を抽出し、この最後に購入した商品情報に対応する新たなコンテンツを優先的に選別し再生することができる。
【００１４】
本発明のコンテンツ再生端末は、コンテンツを受信する通信手段と、前記コンテンツを検索した履歴情報を格納する格納手段と、前記履歴情報からユーザの検索特性に応じた検索情報を抽出する検索情報抽出手段と、前記検索情報に対応する新たなコンテンツを優先的に選別するコンテンツ選別手段と、前記新たなコンテンツを再生する再生手段とを備えた構成を採る。
【００１５】
この構成によれば、通信手段によりコンテンツを受信し、格納手段によりコンテンツを検索した履歴情報を格納し、検索情報抽出手段により履歴情報からユーザの検索特性に応じた検索情報を抽出し、コンテンツ選別手段により検索情報に対応した新たなコンテンツを選別して受信し、再生手段により新たなコンテンツを再生することができる。
【００１６】
本発明のコンテンツ提供システムは、コンテンツ、前記コンテンツの再生制御を行うコンテンツ再生情報及びユーザの検索特性に応じた検索情報を抽出する制御を行う制御条件情報を含むデータを送信するデータ送信サーバと、コンテンツ再生端末とを備え、前記コンテンツ再生端末は、前記データを受信する通信手段と、前記コンテンツを検索した履歴情報を格納する格納手段と、前記制御条件情報に基づき、前記履歴情報からユーザの検索特性に応じた検索情報を抽出する検索情報抽出手段と、前記検索情報に対応する新たなコンテンツを優先的に選別するコンテンツ選別手段と、前記コンテンツ再生情報に基づき前記新たなコンテンツを再生する再生手段とを備えた構成を採る。
【００１７】
この構成によれば、データ送信サーバによりコンテンツ、コンテンツ再生情報及び制御条件情報を含むデータを送信し、通信手段によりデータを受信し、格納手段によりコンテンツを検索した履歴情報を格納し、検索情報抽出手段により履歴情報からユーザの検索特性に応じた検索情報を抽出し、コンテンツ選別手段により検索情報に対応した新たなコンテンツを選別して受信し、再生手段により新たなコンテンツを再生することができる。
【発明の効果】
【００１８】
本発明によれば、ユーザの個人情報の転用や流出をなくし、ユーザのプライバシーを確実に保護することができるとともに、ユーザの要望に応じたコンテンツを容易に検索し再生することができる。
【発明を実施するための最良の形態】
【００１９】
本発明の骨子は、コンテンツを検索した履歴情報からユーザの検索特性に応じた検索情報を抽出し、この検索情報に対応する新たなコンテンツを優先的に選別し再生するようにしたことである。
【００２０】
以下、本発明の実施の形態について図面を参照して詳細に説明する。
【００２１】
（実施の形態１）
［コンテンツ提供システムの構造］
本発明の実施の形態１に係るコンテンツ提供システム１は、図２に示すように、データを送信するデータ送信サーバ（放送サーバ）１０と、複数のコンテンツ再生端末４１〜４３とを備え、更にデータ送信サーバ１０にインターネット６０を経由してコンテンツを提供する複数のコンテンツ提供サーバ５１〜５３と、データ送信サーバ１０からデータをコアネットワーク２０を経由して受信しこのデータをコンテンツ再生端末４１〜４３に送信（配信）する基地局３１〜３３とを備えて構築されている。ここで、コンテンツ再生端末４１〜４３、コンテンツ提供サーバ５１〜５３、基地局３１〜３３のそれぞれの数は実施の形態１において特に限定されるものではない。
【００２２】
データ送信サーバ１０は複数のコンテンツ再生端末４１〜４３に対して同報のデータを配信する。ここで、配信されるデータは、例えばオーディオコンテンツ(Audio Content)と、ビデオコンテンツ(Video Content)と、テキストベースの４つのコンテンツ（content１.html、content２.html、content３.html、content４.html）とを含む。これらのコンテンツには制御情報が加えられている。
【００２３】
制御情報には、コンテンツの再生時間、再生表示位置等、コンテンツの再生制御を行うコンテンツ再生情報と、ユーザの検索特性に応じた検索情報を抽出する制御を行う制御条件情報（rule.xml）とが含まれる。
【００２４】
オーディオコンテンツには制御情報としてコンテンツ再生情報が含まれる。ビデオコンテンツには制御情報としてコンテンツ再生情報及び制御条件情報が含まれる。テキストベースの４つのコンテンツ（content１.html〜content４.html）のうち、第１番目〜第３番目までの各々のコンテンツ（content１.html〜content３.html）には制御情報としてコンテンツ再生情報及び制御条件情報が含まれる。第４番目のコンテンツ（content４.html）には制御条件情報が含まれず制御情報としてコンテンツ再生情報のみ含まれる。つまり、第４番目のコンテンツ（content４.html）の制御情報は、ユーザの検索特性に応じた検索情報の抽出前の、デフォルトを設定する制御情報である。なお、これらの制御情報の詳細については後述する。
【００２５】
［コンテンツ再生端末の構造］
コンテンツ再生端末４１〜４３は実施の形態１において携帯電話である。コンテンツ再生端末４１〜４３は、図３に示すように、データを受信する通信手段と、データのコンテンツを検索した履歴情報を格納する格納手段と、制御条件情報に基づき履歴情報からユーザの検索特性に応じた検索情報を抽出する検索情報抽出手段と、検索情報に対応する新たなコンテンツを優先的に選別するコンテンツ選別手段と、コンテンツ再生情報に基づき新たなコンテンツを再生する再生手段とを備えている。
【００２６】
ここで、実施の形態１において、コンテンツ再生端末４１〜４３の通信手段は通信部４０１により構築されている。通信部４０１は、基本的にはデータの送受信を行い、コンテンツを含むデータを受信するようになっている。
【００２７】
格納手段は履歴情報格納部４０４と履歴情報格納制御部４０７とを備えて構築されている。履歴情報格納部４０４は少なくともコンテンツを検索した履歴情報を格納する。すなわち、履歴情報格納部４０４には、ユーザの検索特性に応じた履歴情報、詳細にはユーザの嗜好によってユーザが興味を持って検索したり閲覧したコンテンツの検索履歴情報が格納される。検索履歴情報には、ユーザがコンテンツの検索を実行した日時（日付、時刻、時間等）、コンテンツを閲覧した場所、閲覧した商品、購入した商品等の情報が含まれている。
【００２８】
履歴情報格納部４０４には、コンテンツ再生端末４１〜４３の各々に内蔵されたメモリ、具体的には電気的消去型不揮発性メモリ（EEPROM）、読出書込可能な揮発性メモリ（SRAMやDRAM）、磁気メモリ（Hard Disk）のいずれかを実用的に使用することができる。また、履歴情報格納部４０４には、コンテンツ再生端末４１〜４３に着脱自在な外部記憶装置、例えばカード型メモリ、スティック型メモリ等を実用的に使用することができる。更に、無線網や有線網で構築されたネットワークのサーバの記憶装置を、履歴情報格納部４０４として使用することができる。
【００２９】
履歴情報格納制御部４０７は前述の履歴情報を履歴情報格納部４０４に格納する制御を行う。
【００３０】
検索情報抽出手段は制御情報抽出部４０２と制御情報解析部４０３とを備えている。制御情報抽出部４０２は、通信部４０１において受信されたデータを解析し、この解析結果に基づきデータに含まれる制御情報つまりコンテンツ再生情報及び制御条件情報を抽出する。制御情報解析部４０３は、制御情報抽出部４０２において抽出された制御情報を解析し、最終的にはこの解析結果と履歴情報とに基づきユーザの検索特性に応じたコンテンツの検索情報を抽出する。
【００３１】
コンテンツ選別手段は再生制御決定部４０５により構築されている。再生制御決定部４０５は、検索情報に基づきユーザの検索特性に応じたコンテンツを選別し、優先的に再生するコンテンツを決定する。
【００３２】
再生手段は、コンテンツ再生処理部４０６と、再生出力部４１０とを備えている。コンテンツ再生処理部４０６は、再生制御決定部４０５において検索特性に応じて選別され再生を決定されたコンテンツを再生するための処理を行う。具体的には、コンテンツ再生処理部４０６は、ビデオコンテンツを実際の映像として出力する再生処理、オーディオコンテンツを実際の音声として出力する再生処理、テキストベースのコンテンツを実際に映像（又は音声）として出力する再生処理を行う。
【００３３】
再生出力部４１０は、同図３及び図４に示すように、コンテンツ再生端末４１〜４３の端末筐体４２０のユーザが見やすい位置に配設されたビデオ出力部４１１と、携帯電話として適正な音声聞き取り位置に配設されたオーディオ出力部４１２とを備えている。実施の形態１において、ビデオ出力部４１１の、図４中、上側にはビデオコンテンツを再生した映像を表示するメイン再生領域４１１ａが配設され、下側にはテキストベースのコンテンツ、具体的にはコンテンツ提供サーバ５１〜５３から配信された広告等のコンテンツを文字や映像として再生し表示するサブ再生領域４１１ｂが配設されている。ビデオ出力部４１１には液晶表示画面（LCD）又は有機エレクトロルミネッセンス（EL）画面を実用的に使用することができる。オーディオ出力部４１２は例えばスピーカである。
【００３４】
［コンテンツ再生方法］
次に、前述の図２に示すコンテンツ提供システム１において、コンテンツ再生方法を図１を用いて説明する。
【００３５】
まず最初に、ステップＳ１に示すように、コンテンツ提供サーバ５１〜５３は、インターネット６０を経由してデータ送信サーバ１０にビデオコンテンツ、オーディオコンテンツ、広告等のテキストベースのコンテンツを提供する。
【００３６】
データ送信サーバ１０においては、コンテンツ提供サーバ５１〜５３から提供されたコンテンツとこのコンテンツに制御情報を加えたデータを生成する。ステップＳ２に示すように、データは、データ送信サーバ１０からコアネットワーク２０を経由して基地局３１〜３３に送信され、更に基地局３１〜３３から無線信号により複数のコンテンツ再生端末４１〜４３に同報データとして配信される。
【００３７】
コンテンツ再生端末４１〜４３においては、ステップＳ３に示すように、配信されたデータが通信部４０１において受信される。受信されたデータは、前述のように、ビデオコンテンツ、オーディオコンテンツ、テキストベースのコンテンツ及びこれらコンテンツの制御情報が含まれる。
【００３８】
ステップＳ４に示すように、制御情報抽出部４０２において受信されたデータから制御情報が抽出される。すなわち、データからコンテンツ再生情報及び制御条件情報が抽出される。そして、ステップＳ５に示すように、最初に制御情報解析部４０３においてコンテンツ再生情報が解析される。
【００３９】
コンテンツ再生情報は、図５に示すように、マルチメディアコンテンツを作成するための記述言語のうちの、例えばスマイル（SMIL：Synchronized Multimedia Integration Language）により記述されている。
【００４０】
コンテンツ再生情報のうち、再生情報Ｄ１は、ビデオコンテンツを「ａ」で示される領域に再生し、テキストベースのコンテンツを「ｂ」に示す領域に再生するという再生情報である。つまり、領域「ａ」は、トップの「１０ピクセル」目から「１８０ピクセル」の高さと、レフトの「１０ピクセル」目から「１８０ピクセル」の幅とで規定された領域であり、この領域「ａ」にビデオコンテンツが再生される。領域「ａ」は図４に示すビデオ出力部４１１のメイン再生領域４１１ａに該当する。領域「ｂ」は、トップの「１９０ピクセル」目から「２０ピクセル」の高さと、レフトの「１０ピクセル」目から「１８０ピクセル」の幅とで規定された領域であり、この領域「ｂ」にテキストベースのコンテンツが再生される。領域「ｂ」は図４に示すビデオ出力部４１１のサブ再生領域４１１ｂに該当する。
【００４１】
再生情報Ｄ２は、オーディオコンテンツ（Audio Content）を再生するという再生情報ｄ１と、ビデオコンテンツ（Video Content）を領域「ａ」（メイン再生領域４１１ａ）において再生するという再生情報ｄ２とを含む。
【００４２】
更に、再生情報Ｄ２にはテキストベースのコンテンツ（content１.html〜content４.html）を領域「ｂ」（サブ再生領域４１１ｂ）に再生するという再生情報ｄ３が含まれる。この再生情報ｄ３のうち、テキストベースの上位第１番目〜第３番目までのコンテンツ（content１.html〜content３.html）には、制御条件情報（rule.xml）と、コンテンツ（content.html）に対する属性情報とが含まれる。第１番目のコンテンツ（content１.html）に対して属性情報「アクセサリ」が関連付けられている。第２番目のコンテンツ（content２.html）に対して属性情報「化粧品」が関連付けられ、第３番目のコンテンツ（content３.html）に対して属性情報「グルメ」が関連付けられている。
【００４３】
テキストベースの第４番目のコンテンツ（content４.html）には制御条件情報及び属性情報は含まれていない。つまり、第４番目のコンテンツ（content４.html）は、デフォルト設定の再生情報であり、第１番目〜第３番目のコンテンツ（content１.html〜content３.html）に関連付けられた属性情報に該当するコンテンツが存在しない場合に、データ送信サーバ１０から配信されるデータのテキストベースのコンテンツを受信毎に順次再生するという再生情報である。
【００４４】
ステップＳ５においてコンテンツ再生情報が解析されると、ステップＳ６に示すように、制御情報解析部４０３において再生情報ｄ３のテキストベースの第１番目〜第３番目までのコンテンツ（content１.html〜content３.html）の制御条件情報（rule.xml）の解析が要求される。
【００４５】
制御条件情報は、図６に示すように、命令情報（command）Ｄ３と、条件情報（condition）Ｄ４と、ユーザの検索特性に応じた検索情報を抽出するターゲットリソース情報（target）Ｄ５とを含む。つまり、制御条件情報とは、ターゲットリソース情報Ｄ５に基づく履歴情報格納部４０４に格納されたすべての履歴情報（all.xml）から、条件情報Ｄ４に基づく最大数（max Number）のターゲット情報を、命令情報Ｄ３に基づき選別する制御を実行する情報である。
【００４６】
ここで、履歴情報格納部４０４には、例えばユーザが過去に検索したデータの履歴情報（xml）がすべて履歴情報格納制御部４０７によって格納される。実施の形態１において、履歴情報格納部４０４には、図７に示すように、ユーザが過去に購入した商品（ターゲット情報）の購入履歴情報が項目（item）毎に格納されている。各項目には、購入時刻、商品の品目、商品名の各情報が記憶されている。
【００４７】
従って、実施の形態１においては、制御条件情報を解析することにより、ステップＳ７に示すように、履歴情報格納部４０４に格納されたすべての購入履歴情報から、最大購入数、３回の商品である「化粧品」を選別することができる。この「化粧品」とは、ユーザの嗜好、興味等で最も多く購入した商品であるとともに、ユーザが購入のために閲覧する確率の高いコンテンツであり、ユーザの検索特性に応じた検索情報である。つまり、最大購入数の商品情報を選別することにより、ユーザの検索特性に応じた検索情報を抽出することができる。
【００４８】
この検索情報が抽出されると、再生制御決定部４０５において、前述の図５に示す再生情報ｄ３の制御条件情報のコンテキスト情報（context（rule.xml）が「化粧品」に該当すると判定される。そして、ステップＳ８に示すように、優先的に再生するテキストベースのコンテンツとして、第２番目のコンテンツ（content2.html）が選別され決定される。
【００４９】
再生するテキストベースのコンテンツ（content2.html）が決定されると、通信部４０１において受信されるコンテンツを選別し、優先的に「化粧品」に関するコンテンツを選別し、この選別されたコンテンツはコンテンツ再生処理部４０６において再生に必要な処理が行われる。この後、処理済みのコンテンツは、ステップＳ９に示すように、再生出力部４１０において再生される。すなわち、ビデオコンテンツは図４に示すビデオ出力部４１１のメイン再生領域４１１ａにおいて映像として再生され、オーディオコンテンツはオーディオ出力部４１２において音声として再生され、そしてテキストベースのコンテンツ（content2.html）はサブ再生領域４１１ｂに優先的に映像として再生される。
【００５０】
このように、実施の形態１によれば、コンテンツを検索した履歴情報からユーザの検索特性に応じた検索情報を抽出し、この検索情報に対応する新たなコンテンツを優先的に選別し再生するようにしたので、コンテンツ発信元（例えば、データ送信サーバ１０）にユーザの個人情報を登録しなくても、ユーザの検索特性に応じた新たなコンテンツを選別して受信し再生することができる。特に、実施の形態１においては、ユーザが購入した商品の購入履歴情報から最大購入数の商品情報を抽出し、この商品情報に対応する新たなコンテンツを優先的に選別し再生することができる。
【００５１】
（実施の形態２）
本発明の実施の形態２は、前述の実施の形態１に係るコンテンツ再生方法、コンテンツ再生端末４１〜４３及びコンテンツ提供システム１において、ユーザの検索特性に応じた検索情報の内容を代えた例を説明するものである。
【００５２】
前述の図２に示すコンテンツ提供システム１のデータ送信サーバ１０から配信されるデータの制御条件情報（rule.xml）は、図８に示すように、命令情報（command）Ｄ３と、条件情報（condition）Ｄ４と、ユーザの検索特性に応じた検索情報を抽出するためのターゲットリソース情報（target）Ｄ５と、このターゲットリソース情報Ｄ５に基づき抽出された品目の出力情報（output）Ｄ６とを含む。この制御条件情報は、ターゲットリソース情報Ｄ５に基づく履歴情報格納部４０４に格納された前述の図７に示すすべての履歴情報（all.xml）から、条件情報Ｄ４に基づく最後に（最も最近）購入した商品の購入時刻情報（latest Time）のターゲット情報を、命令情報Ｄ３に基づき選別し、出力情報Ｄ６に基づきターゲット情報に該当する品目を出力する制御を実行する情報である。
【００５３】
この制御条件情報を解析することにより、履歴情報格納部４０４に格納されたすべての購入履歴情報から、最後に購入した商品の購入時刻情報である「２００３年１２月２４日、１４時３０分」というターゲット情報を選別することができ、最後に購入した「化粧品」を品目として出力することができる。この「化粧品」とは、ユーザの嗜好、興味等で最も最近に購入した商品であるとともに、ユーザが購入のために閲覧する確率の高いコンテンツであり、ユーザの検索特性に応じた検索情報である。つまり、最後に購入した商品の購入時刻情報を選別することにより、ユーザの検索特性に応じた検索情報を抽出することができる。
【００５４】
このように、実施の形態２によれば、ユーザが購入した商品の購入履歴情報から最後に購入した商品の購入時刻情報を抽出し、この最後に購入した商品に対応する新たなコンテンツを優先的に選別し再生することができる。
【００５５】
なお、本発明は、上記実施の形態１及び実施の形態２に限定されるものではない。例えば、本発明は、ユーザの検索特性に応じた検索情報を含む１つのコンテンツを再生する場合に限らず、ユーザの検索特性に応じた検索情報を２以上抽出し、これらの検索情報を含むコンテンツを交互に再生するようにしてもよい。
【００５６】
また、本発明は、履歴情報も商品の購入履歴情報に限らず、例えば過去にビデオコンテンツにおいて見た映像やオーディオコンテンツで聞いた音声のキーワードを検索情報として抽出し、この検索情報を含むコンテンツを優先的に再生するようにしてもよい。
【００５７】
また、前述の図３に示す実施の形態１に係るコンテンツ再生端末４１〜４３において、制御情報抽出部４０２、制御情報解析部４０３、再生制御決定部４０５、コンテンツ再生処理部４０６はいずれも回路構成として説明したが、本発明は、これらの回路機能を有するソフトウエアを中央演算処理ユニット（CPU）により処理するようにしてもよい。
【産業上の利用可能性】
【００５８】
本発明に係るコンテンツ再生方法、コンテンツ再生端末及びコンテンツ提供システムは、ユーザの個人情報の転用や流出をなくし、ユーザのプライバシーを確実に保護することができるとともに、ユーザの要望に応じたコンテンツを容易に検索し再生することができるという効果を有し、ポケットベル、無線機、携帯情報端末（ＰＤＡ：Personal Digital Assistant）、ノート型パーソナルコンピュータ、無線ＬＡＮや有線ＬＡＮにより構築されたネットワーク上のパーソナルコンピュータ等のコンテンツ再生端末、コンテンツ再生方法及びコンテンツ提供システムに有効である。
【図面の簡単な説明】
【００５９】
【図１】本発明の実施の形態１に係るコンテンツ再生方法を説明するフローチャート
【図２】本発明の実施の形態１に係るコンテンツ提供システムの構築図
【図３】本発明の実施の形態１に係るコンテンツ再生端末のブロック図
【図４】図３に示すコンテンツ再生端末の再生出力部の構成図
【図５】本発明の実施の形態１に係るコンテンツ再生情報を示す図
【図６】本発明の実施の形態１に係る制御条件情報を示す図
【図７】本発明の実施の形態１に係る履歴情報を示す図
【図８】本発明の実施の形態２に係る制御条件情報を示す図
【符号の説明】
【００６０】
１  コンテンツ提供システム
１０  データ送信サーバ
２０  コアネットワーク
３１〜３３  基地局
４１〜４３  コンテンツ再生端末
５１〜５３  コンテンツ提供サーバ
６０  インターネット
４０１  通信部
４０２  制御情報抽出部
４０３  制御情報解析部
４０４  履歴情報格納部
４０５  再生制御決定部
４０６  コンテンツ再生処理部
４０７  履歴情報格納制御部
４１０  再生出力部
４１１  ビデオ出力部
４１１ａ  メイン再生領域
４１１ｂ  サブ再生領域
４１２  オーディオ出力部
４２０  端末筐体
【図１】
2005209098.tif 000003
【図２】
2005209098.tif 000004
【図３】
2005209098.tif 000005
【図４】
2005209098.tif 000006
【図５】
2005209098.tif 000007
【図６】
2005209098.tif 000008
【図７】
2005209098.tif 000009
【図８】
2005209098.tif 000010